(57)【要約】【課題】測量機器の据え付け作業を高精度で且つ効率よく行うことができる測量機器用位置合わせ装置を提供する。【解決手段】三脚２０との連結部１１が下面に設けられた第一部材１の上面に、測量機器３０との連結部２１が上面に設けられた第二部材２を、クロスローラガイドにより水平移動可能に係合させて、測量機器用位置合わせ装置１０を構成した。そして、この測量機器用位置合わせ装置１０を、三脚２０と測量機器３０との間に固定し、第一部材１及び第二部材２の一方を他方に対して相対的に水平移動させることで、測量機器３０の位置合わせを行う。【選択図】図２
0003128693.tif 000002
【実用新案登録請求の範囲】
【請求項１】
三脚との連結部を下面に有する第一部材の上面に、測量機器との連結部を上面に有する第二部材が水平移動可能に係合され、前記第一部材及び前記第二部材の一方が他方に対して相対的に水平移動するように構成されていることを特徴とする測量機器用位置合わせ装置。
【請求項２】
前記第一部材及び前記第二部材の少なくとも一方に、前記水平移動を可能とする移動ガイド手段が設けられていることを特徴とする請求項１に記載の測量機器用位置合わせ装置。
【請求項３】
前記連結部は、前記第一部材及び前記第二部材に対して着脱自在に設けられていることを特徴とする請求項１又は２に記載の測量機器用位置合わせ装置。
【考案の詳細な説明】
【技術分野】
【０００１】
本考案は、測量機器を据え付ける際に、測量機器の位置合わせを行うための装置に関するものである。
【背景技術】
【０００２】
測量機器の据え付け作業は、予め測点の上に設置した三脚に測量機器を水平に取り付けた後、求心望遠鏡やレーザ求心装置等の求心装置を用いて、測点の真上に測量機器が位置するように調整することで行われる。
【０００３】
従来、求心装置により示された求心位置に測量機器を位置合わせするためには、測量機器に内蔵された求心位置調整装置のみで行われていた。しかしながら、求心位置調整装置のみで位置合わせを行う場合には、その調整幅に限界があることから、三脚を再度設置し直さないと位置合わせができないことがあり、据え付け時の作業効率が良好ではないという問題があった。
【０００４】
このような問題を解消するために、特許文献１では、測量機器を取り付ける三脚の台座に、水平移動調整手段により水平方向に移動可能な基準点調整板と、水平角調整手段により水平角を調整可能な環状台座と、を備えることが提案されている。ここで、水平移動調整手段は、基準点調整板をなす円盤の円周面に当接するように設けられた三個のネジにより、測量機器の水平方向位置を調整する構成となっている。
【０００５】
この特許文献１に記載の技術によれば、三脚に備えられた水平移動調整手段及び水平角調整手段により、測量機器に内蔵された求心位置調整装置のみで測量機器の位置合わせを行う場合と比べて測量機器の調整幅が広がるため、据え付け時に三脚を設置し直す作業を軽減させることができる。
【特許文献１】特開平９−２５７４８２号公報
【考案の開示】
【考案が解決しようとする課題】
【０００６】
しかしながら、上述した特許文献１に記載の三脚においては、測量機器の水平移動調整手段により水平方向に移動可能な基準点調整板と、水平角調整手段により水平角を調整可能な環状台座とが三脚に備えられていることから、三脚自体の重量や大きさが増大し、三脚の設置時における作業効率が良好ではないため、測量機器の据え付け時の作業効率及び据え付け精度を向上させるという点で未だ改善の余地があった。
【０００７】
また、上述した特許文献１に記載の三脚においては、基準点調整板の円周面の３箇所に当接させたネジにより測量機器の水平移動を調整する構成となっているため、調整作業が煩雑で、精度よく位置合わせを行うことが難しいという不具合もあった。
【０００８】
そこで、本考案は、上記事情に鑑みてなされたものであり、測量機器の据え付け作業を高精度で且つ効率よく行うことができる測量機器用位置合わせ装置を提供することを課題としている。
【課題を解決するための手段】
【０００９】
このような課題を解決するために、本考案に係る測量機器用位置合わせ装置は、三脚との連結部を下面に有する第一部材の上面に、測量機器との連結部を上面に有する第二部材が水平移動可能に係合され、前記第一部材及び前記第二部材の一方が他方に対して相対的に水平移動するように構成している。
【００１０】
この構成によれば、第一部材及び第二部材の一方を他方に対して相対的に水平移動させることで測量機器の位置合わせを行うことができるため、測量機器の位置合わせを高精度で且つ効率よく行うことができる。
【００１１】
また、三脚や測量機器とは別個に、測量機器の位置合わせ装置を備えたことにより、上述した特許文献１に記載の技術と比べて、三脚自体の小型・軽量化を図ることができるため、三脚の設置時における作業効率を損なうことなく、測量機器の位置合わせを高精度で且つ効率よく行うことができる。
【００１２】
さらに、三脚や測量機器とは別個に、測量機器の位置合わせ装置を備えたことにより、この測量機器用位置合わせ装置を、既存の三脚や測量機器に連結させることで、測量機器の位置合わせを行うことができるため、優れた汎用性が得られ、装置コストを低減できる。
【００１３】
本考案に係る測量機器用位置合わせ装置においては、前記第一部材及び前記第二部材の少なくとも一方に、前記水平移動を可能とする移動ガイド手段が設けられた構成としてもよい。ここで、移動ガイド手段としては、特に限定されないが、例えば、クロスローラガイド、リニアボール、ボールネジを用いることができる。この構成によれば、第一部材及び第二部材の相対的な水平移動をより高精度で且つ効率よく行うことができる。
【００１４】
また、本考案に係る測量機器用位置合わせ装置においては、前記連結部を、前記第一部材及び前記第二部材に対して着脱自在に設けた構成としてもよい。この構成によれば、種々の測量機器や三脚に応じて、寸法や形状の異なる連結部を適宜選択して用いることができるため、優れた汎用性が得られる。
【考案の効果】
【００１５】
本考案に係る測量機器用位置合わせ装置によれば、測量機器の据え付け作業を、高精度で且つ効率よく行うことができる。
【考案を実施するための最良の形態】
【００１６】
以下、本考案に係る実施形態について図面を参照しながら説明する。
図１は、本考案に係る測量機器用位置合わせ装置を三脚及び測量機器に固定した状態を示す斜視図である。図２は、本考案に係る測量機器用位置合わせ装置の一例を示し、（ａ）は斜視図、（ｂ）は平面図、（ｃ）は背面図である。図３は、本考案に係る測量機器用位置合わせ装置の使用形態を示す斜視図である。
【００１７】
この測量機器用位置合わせ装置１０は、図1に示すように、三脚２０の台座２１と測量機器３０の下端面との間に固定した状態で使用されるものであり、図２に示すように、三脚２０との連結部１１を下面に有する第一部材１の上面に、測量機器３０との連結部２１を上面に有する第二部材２が、図示しないクロスローラガイド（移動ガイド手段）により水平移動可能に係合された構成となっている。そして、この測量機器用位置あわせ装置１０は、クロスローラガイドにより、第一部材１及び第二部材２の一方が他方に対して相対的に摺動するように構成されている。
【００１８】
第一部材１及び第二部材２は、いずれも平面視が略正方形のアルミニウム板からなり、その表面にはアルマイト加工が施されている。また、第一部材１及び第二部材２の一端部には、第一部材１及び第二部材２を相対的にＸＹ方向（水平方向）に移動可能とする円柱状の把持部１２，２２がそれぞれ突設されている。  
【００１９】
第一部材１の下面に備えられた三脚２０との連結部１１は、三脚２０の台座上に設けられたネジ溝と螺合するネジ溝が内周面に設けられたリング部材からなり、第一部材１の厚み方向に貫通する孔部１１ａに嵌合されている。
【００２０】
第二部材２の上面に備えられた測量機器３０との連結部２１は、測量機器３０の下端面に設けられたネジ溝と螺合するネジ溝が外周面に設けられたリング部材からなり、第二部材２の上面に突出した状態で止めネジ２１ａにより着脱自在に固定されている。
【００２１】
この測量機器用位置合わせ装置１０は、第一部材１の連結部１１を三脚２０に連結させ、第二部材２の連結部２１を測量機器３０に連結させた状態で三脚２０と測量機器３０との間に固定し、図３に示すように、第二部材２を第一部材１に対してＸＹ方向に移動させることで、三脚２０を固定した状態で、測量機器３０の位置合わせを行うことができる。
ここで、第二部材２をＸ方向に移動させたい場合には、図３（ａ）に示すように、第一部材１の把持部１２を支持した状態で、第二部材２の把持部２２をＸ方向に移動させるようにする。一方、第二部材２をＹ方向に移動させたい場合には、図３（ｂ）に示すように、第一部材１の把持部１２を支持した状態で、第二部材２の把持部２２をＹ方向に移動させるようにする。
【００２２】
次に、上述した測量機器用位置合わせ装置１０を用いた測量機器３０の据え付け作業について説明する。
まず、測点上に公知の三脚２０を設置し、三脚２０の台座２１を水平に固定した後、この三脚２０の台座２１上に測量機器用位置合わせ装置１０をなす第一部材１の連結部１１を固定する。
【００２３】
次に、第一部材１が三脚２０に固定させた測量機器用位置合わせ装置１０をなす第二部材２の連結部２１を、測量機器３０の下端面に固定する。
そして、測量機器３０に内蔵された公知のレーザ求心装置を用いて求心位置を確認しつつ、この求心位置に測量機器３０が位置するように、上述した図３に示す作業を繰り返し行い、測量機器用位置合わせ装置１０の第二部材２を第一部材１に対して相対的に水平移動させて位置合わせを行う。
【００２４】
すなわち、本実施形態における測量機器用位置合わせ装置１０によれば、第一部材１及び第二部材２の一方を他方に対して相対的に水平移動させることで測量機器３０の位置合わせを行うことができるため、測量機器３０の位置合わせを高精度で且つ効率よく行うことができる。
【００２５】
また、三脚２０や測量機器３０とは別個に、測量機器用位置合わせ装置１０を備えたことにより、三脚２０自体の小型・軽量化を図ることができるため、三脚２０の設置時における作業効率を損なうことなく、測量機器３０の位置合わせを高精度で且つ効率よく行うことができる。
さらに、この測量機器用位置合わせ装置１０は、既存の三脚２０や測量機器３０に連結させて用いることができるため、優れた汎用性が得られ、装置コストを低減できる。
【００２６】
さらに、測量機器用位置合わせ装置１０をなす第一部材１及び第二部材２を、表面にアルマイト加工が施されたアルミニウム板で構成したことにより、高強度で且つ軽量で、優れた耐食性が得られる。
【００２７】
さらに、第一部材１及び第二部材２を相対的に水平移動させる移動ガイド手段として、クロスローラガイドを備えたことにより、より高精度でかつ効率よく測量機器３０の位置合わせを行うことができる。
【００２８】
さらに、第一部材１及び第二部材２の一端に把持部１２，２２を設けたことにより、第一部材１及び第二部材２の相対的な水平移動をさらに効率よく行うことができる。
【００２９】
さらに、第二部材２において、測量機器３０との連結部２１を着脱自在に設けたことにより、種々の測量機器や三脚に応じて、寸法や形状の異なる連結部２１を適宜選択して用いることができるため、優れた汎用性が得られる。
なお、本実施形態においては、測量機器用位置合わせ装置１０をなす第一部材１及び第二部材２に把持部１２，２２を備え、その相対移動を手動で行う構成としたが、これに限らず、駆動モータを備え、その相対移動を自動で行う構成としてもよい。
【図面の簡単な説明】
【００３０】
【図１】本考案に係る測量機器用位置合わせ装置を三脚及び測量機器に固定した状態を示す斜視図である。
【図２】本考案に係る測量機器用位置合わせ装置の一例を示し、（ａ）は斜視図、（ｂ）は平面図、（ｃ）は背面図である。
【図３】本考案に係る測量機器用位置合わせ装置の使用形態を示す斜視図である。
【符号の説明】
【００３１】
１    第一部材
２    第二部材
１０    測量機器用位置合わせ装置
１１    三脚との連結部
１２，２２    把持部
２１    測量機器との連結部
２０    三脚
３０    測量機器
【図１】
0003128693.tif 000003
【図２】
0003128693.tif 000004
【図３】
0003128693.tif 000005